(57)【要約】【課題】表示部の位置調整を容易に行うことが可能な画像表示装置を提供する。【解決手段】本発明の表示装置１００は、左眼用画像表示部１１０Ａと、使用者の右眼に向けて第２画像光を射出する右眼用画像表示部１１０Ｂと、左眼用画像表示部と右眼用画像表示部とを支持するメインフレーム１２０と、左眼用画像表示部および右眼用画像表示部のメインフレームに対する位置を調整する位置調整部１４０と、を備える。位置調整部は、左眼用画像表示部と右眼用画像表示部との間の間隔を調整し、かつ、メインフレームに対する左眼用画像表示部の位置およびメインフレームに対する右眼用画像表示部の位置をそれぞれ独立して調整する。【選択図】図４
2015213271.tif 000002
【特許請求の範囲】
【請求項１】
第１画像表示部と、
第２画像表示部と、
前記第１画像表示部と前記第２画像表示部とを支持する支持部材と、
前記第１画像表示部及び前記第２画像表示部の前記支持部材に対する位置を調整する位置調整部と、を備え、
前記位置調整部は、前記第１画像表示部と前記第２画像表示部との間の間隔を調整し、かつ、前記支持部材に対する前記第１画像表示部の位置および前記支持部材に対する前記第２画像表示部の位置をそれぞれ独立して調整することを特徴とする画像表示装置。
【請求項２】
前記位置調整部は、前記第１画像表示部と前記第２画像表示部との間の間隔を調整し、かつ、前記第１画像表示部と前記第２画像表示部とを接続する接続部材と、
前記支持部材と前記第１画像表示部との間に配置され、弾性材料からなる第１弾性部材と、
前記支持部材と前記第２画像表示部との間に配置され、弾性材料からなる第２弾性部材と、を備えることを特徴とする請求項１に記載の画像表示装置。
【請求項３】
前記接続部材は、弾性材料からなることを特徴とする請求項２に記載の画像表示装置。
【請求項４】
前記接続部材の変形量を調整する調整部材を備えることを特徴とする請求項２または３に記載の画像表示装置。
【請求項５】
前記第１弾性部材の弾性率は、前記第２弾性部材の弾性率と異なる弾性率であることを特徴とする請求項２から４のいずれか一項に記載の画像表示装置。
【請求項６】
前記第１弾性部材の弾性力と前記第２弾性部材の弾性力との少なくとも一方の弾性力を調整する弾性力調整部を備えることを特徴とする請求項２から４のいずれか一項に記載の画像表示装置。
【請求項７】
前記第１画像表示部及び前記第２画像表示部は、それぞれ画像光と外光とが重なるように表示されるシースルー型の表示部であることを特徴とする請求項１から６のいずれか一項に記載の画像表示装置。
【請求項８】
前記第１画像表示部における画像位置を示す第１指標を有する第１指標部と、
前記第２画像表示部における画像位置を示す第２指標を有する第２指標部と、
を備えることを特徴とする請求項１から７のいずれか一項に記載の画像表示装置。
【請求項９】
前記第１指標部は、第１着脱部を介して前記第１画像表示部と重なるように接続され、
前記第２指標部は、第１着脱部を介して前記第２画像表示部と重なるように接続されることを特徴とする請求項８に記載の画像表示装置。
【請求項１０】
前記第１指標、前記第２指標および瞳を撮像する撮像部と、
前記撮像部の撮像結果に基づいて、前記第１指標と瞳との位置のずれ方向およびずれ量と、前記第２指標と瞳との位置のずれ方向およびずれ量と、の情報を検出する検出部と、
前記検出部が検出した前記情報を出力する出力部と、
を備えることを特徴とする請求項８または９に記載の画像表示装置。
【請求項１１】
外部機器から送信される、前記第１指標と瞳との位置のずれ方向およびずれ量と、前記第２指標と瞳との位置のずれ方向およびずれ量と、の情報を受信する受信部と、
前記受信部が受信した前記情報を出力する出力部と、
を備えることを特徴とする請求項８または９に記載の画像表示装置。
【発明の詳細な説明】
【技術分野】
【０００１】
本発明は、画像表示装置に関する。
【背景技術】
【０００２】
近年、ウェアラブル情報機器の一つとして、ヘッドマウントディスプレイなどの画像表示装置が提供されている。例えば、特許文献１には、観察者の眼に画像を導く一対のプリズム素子と、一対のプリズム素子の位置を規制する複数の当接部と、当接部同士を押し付ける付勢力を与える付勢部材と、を備えた頭部装着型画像表示装置が開示されている。
【０００３】
特許文献２には、左眼用表示ユニットと右眼用表示ユニットとがガイド部に沿って回転軸を中心に左右対称に移動する眼幅調整機構を備えたヘッドマウントディスプレイが開示されている。特許文献３には、一対の鼻パッドの傾動量を左右で独立して変化させることができる頭部装着型装置用フレームが開示されている。
【先行技術文献】
【特許文献】
【０００４】
【特許文献１】特開２００２−１８２１４８号公報
【特許文献２】特開２００７−８１９８４号公報
【特許文献３】特開２０１３−２１１８１１号公報
【発明の概要】
【発明が解決しようとする課題】
【０００５】
ヘッドマウントディスプレイなどの画像表示装置において、使用者が画像を視認するためには、使用者の視野内に画像が入るように左右の画像表示部の位置を調整する作業が必要になる。ところが、上記の特許文献１−３の装置では、画像表示部の位置調整作業が難しいという問題があった。
【０００６】
ヘッドマウントディスプレイなどの画像表示装置では、快適な装着感を得るために、装置の小型化、軽量化が求められている。そのため、眼に入る画像の大きさ、いわゆる射出瞳径を小さくする方向で装置の開発が進められている。しかしながら、射出瞳径が小さくなる程、初期設定の画像の位置が視野から外れやすく、使用者の視野内に画像の位置を合わせることが難しくなる。このように、射出瞳径が小さくなる程、上記の位置調整作業の問題は顕著になる。
【０００７】
本発明の一つの態様は、上記の課題を解決するためになされたものであって、画像表示部の位置調整作業を容易に行うことができる画像表示装置を提供することを目的の一つとする。
【課題を解決するための手段】
【０００８】
上記の目的を達成するために、本発明の一つの態様の画像表示装置は、第１画像表示部と、第２画像表示部と、前記第１画像表示部と前記第２画像表示部とを支持する支持部材と、前記第１画像表示部及び前記第２画像表示部の前記支持部材に対する位置を調整する位置調整部と、を備え、前記位置調整部は、前記第１画像表示部と前記第２画像表示部との間の間隔を調整し、かつ、前記支持部材に対する前記第１画像表示部の位置および前記支持部材に対する前記第２画像表示部の位置をそれぞれ独立して調整することを特徴とする。
【０００９】
一般に、人間の左右の眼は、顔の中心、例えば鼻の中心に対して完全に対称の位置にない場合が多い。そのため、例えば、左右の画像表示部間の間隔を調整し、左右の画像表示部を顔の中心に対して対称に配置したとしても、使用者の視野の中心に画像の位置を合わせることが難しい。これに対し、本発明の一つの態様の画像表示装置においては、位置調整部によって、第１画像表示部と第２画像表示部との間の間隔を調整できるとともに、支持部材に対する第１画像表示部の位置および支持部材に対する第２画像表示部の位置をそれぞれ独立して調整できる。これにより、使用者は、画像が視野の中心に位置するように画像表示部の位置を調整する作業を容易に行うことができる。
【００１０】
本発明の一つの態様の画像表示装置において、前記位置調整部は、前記第１画像表示部と前記第２画像表示部との間の間隔を調整し、かつ、前記第１画像表示部と前記第２画像表示部とを接続する接続部材と、前記支持部材と前記第１画像表示部との間に配置され、弾性材料からなる第１弾性部材と、前記支持部材と前記第２画像表示部との間に配置され、弾性材料からなる第２弾性部材と、を備えていてもよい。
この構成によれば、接続部材によって第１画像表示部と第２画像表示部との間の間隔を調整することができ、第１弾性部材と第２弾性部材とによって第１画像表示部および第２画像表示部の位置をそれぞれ調整することができる。
【００１１】
本発明の一つの態様の画像表示装置において、前記接続部材は、弾性材料で構成されていてもよい。
この構成によれば、弾性材料からなる接続部材によって、第１画像表示部と第２画像表示部との間隔を広げる方向もしくは狭める方向に作用する力を付与することができる。
【００１２】
本発明の一つの態様の画像表示装置は、前記接続部材の変形量を調整する調整部材を備えていてもよい。
この構成によれば、使用者が調整部材を操作して接続部材の変形量を調整することにより、画像表示部の位置調整作業を的確に行うことができる。
【００１３】
本発明の一つの態様の画像表示装置において、前記第１弾性部材の弾性率は、前記第２弾性部材の弾性率と異なる弾性率であってもよい。
この構成によれば、第１弾性部材と第２弾性部材とが互いに異なる弾性率を有することにより、第１画像表示部と第２画像表示部との間隔を調整した際の第１画像表示部の移動量と第２画像表示部の移動量とを異ならせることができる。
【００１４】
本発明の一つの態様の画像表示装置は、前記第１弾性部材の弾性力と前記第２弾性部材の弾性力との少なくとも一方の弾性力を調整する弾性力調整部を備えていてもよい。
この構成によれば、弾性力調整部が第１弾性部材の弾性力と第２弾性部材の弾性力との少なくとも一方の弾性力を調整することにより、第１画像表示部と第２画像表示部との間隔を調整する際の第１画像表示部の移動量と第２画像表示部の移動量とを異ならせることができる。
【００１５】
本発明の一つの態様の画像表示装置において、前記第１画像表示部及び前記第２画像表示部は、それぞれ画像光と外光とが重なるように表示されるシースルー型の表示部であってもよい。
この構成によれば、第１画像表示部及び第２画像表示部がそれぞれシースルー型の表示部であるため、使用者は、画像を視認できるとともに外界の様子も視認できる。これにより、使用者は、自身を撮影可能な外部機器や鏡等を用いて、画像表示部の位置調整作業を行うことができる。
【００１６】
本発明の一つの態様の画像表示装置は、前記第１画像表示部における画像位置を示す第１指標を有する第１指標部と、前記第２画像表示部における画像位置を示す第２指標を有する第２指標部と、を備えていてもよい。
この構成によれば、使用者が第１指標部および第２指標部を位置調整時の目安とできるため、実際の画像を表示することなく位置調整作業を行うことができる。
【００１７】
本発明の一つの態様の画像表示装置において、前記第１指標部は、第１着脱部を介して前記第１画像表示部と重なるように接続され、前記第２指標部は、第１着脱部を介して前記第２画像表示部と重なるように接続されてもよい。
この構成によれば、各画像表示部の位置調整作業を行う際に各指標部を各着脱部を介して各画像表示部に接続することができ、位置調整作業が終了した後は各指標部を各画像表示部から取り外すことができる。そのため、使用者が画像を視認する際に各指標部が障害となることがない。
【００１８】
本発明の一つの態様の画像表示装置は、前記第１指標、前記第２指標および瞳を撮像する撮像部と、前記撮像部の撮像結果に基づいて、前記第１指標と瞳との位置のずれ方向およびずれ量と、前記第２指標と瞳との位置のずれ方向およびずれ量と、の情報を検出する検出部と、前記検出部が検出した前記情報を出力する出力部と、を備えていてもよい。
この構成によれば、検出部が、撮像部の撮像結果に基づき、第１指標の位置と瞳との位置のずれ方向およびずれ量と、第２指標の位置と瞳との位置のずれ方向およびずれ量と、に関する情報を検出し、その情報を出力部が出力する。そのため、使用者は、その情報を取得することにより各画像表示部の位置調整作業を的確に行うことができる。
【００１９】
本発明の一つの態様の画像表示装置は、外部機器から送信される、前記第１指標と瞳との位置のずれ方向およびずれ量と、前記第２指標と瞳との位置のずれ方向およびずれ量と、の情報を受信する受信部と、前記受信部が受信した前記情報を出力する出力部と、を備えていてもよい。
この構成によれば、受信部が、外部機器から送信される、第１指標と瞳との位置のずれ方向およびずれ量と、第２指標と瞳との位置のずれ方向およびずれ量と、の情報を受信し、その情報を出力部が出力する。そのため、使用者は、その情報を取得することにより各画像表示部の位置調整作業を的確に行うことができる。
【図面の簡単な説明】
【００２０】
【図１】使用者が本発明の第１実施形態の画像表示装置を装着した状態を示す図である。
【図２】第１実施形態の画像表示装置の斜視図である。
【図３】第１実施形態の画像表示装置の一方の画像表示部の構成を示す平面図である。
【図４】第１実施形態の画像表示装置の正面図である。
【図５】画像表示部の位置調整作業の手順を示すフローチャートである。
【図６】第２実施形態の画像表示装置の正面図である。
【図７】第３実施形態の画像表示装置の正面図である。
【図８】第４実施形態の画像表示装置の正面図である。
【図９】第５実施形態の画像表示装置の正面図である。
【図１０】第６実施形態の画像表示装置の正面図である。
【図１１】第７実施形態の画像表示装置の平面図である。
【図１２】画像表示部の位置調整作業の手順を示すフローチャートである。
【図１３】第８実施形態の画像表示装置の平面図である。
【図１４】第９実施形態の画像表示装置の平面図である。
【発明を実施するための形態】
【００２１】
［第１実施形態］
以下、本発明の第１実施形態について、図１〜図５を用いて説明する。
第１実施形態の画像表示装置は、使用者が頭に装着して使用するヘッドマウントディスプレイの一例である。
以下の説明では、ヘッドマウントディスプレイ（Head Mounted Display）を、ＨＭＤと略記する。
図１は、使用者が第１実施形態の画像表示装置を装着した状態を示す図である。
図２は、第１実施形態の画像表示装置の斜視図である。
なお、以下の全ての図面においては各構成要素を見やすくするため、構成要素によって寸法の縮尺を異ならせて示すことがある。
【００２２】
図１に示すように、本実施形態のＨＭＤ３００は、使用者が眼鏡を掛けるような感覚で頭部に装着して使用するものである。本実施形態のＨＭＤ３００は、シースルー型（透過型）のＨＭＤである。本実施形態のＨＭＤ３００によれば、使用者は画像表示部により生成された画像を視認でき、かつ、外の景色も視認できる。
【００２３】
図２に示すように、ＨＭＤ３００は、眼鏡に類似した形状を有する表示装置１００と、使用者が手で持つことが可能な程度の大きさを有する制御装置（コントローラー）２００と、を備えている。表示装置１００と制御装置２００とは、有線または無線で通信可能に接続される。
【００２４】
本実施形態では、表示装置１００を構成する左眼用画像表示部１１０Ａおよび右眼用画像表示部１１０Ｂの各々と制御装置２００とは、ケーブル１５０を介して有線で通信可能に接続され、画像信号や制御信号を通信する。
本実施形態の「左眼用画像表示部１１０Ａ」は、特許請求の範囲の「第１画像表示部」に対応する。本実施形態の「右眼用画像表示部１１０Ｂ」は、特許請求の範囲の「第２画像表示部」に対応する。
【００２５】
表示装置１００は、メインフレーム１２０と、サブフレーム１３０と、左眼用画像形成部１０Ａと、左眼用画像表示部１１０Ａと、右眼用画像形成部１０Ｂと、右眼用画像表示部１１０Ｂと、を備えている。制御装置２００は、表示部２１０と、操作ボタン部２５０と、を備えている。表示部２１０は、例えば使用者に与える情報や指示等を表示する。
【００２６】
メインフレーム１２０は、リム部１２１と、使用者が耳に掛けるための一対のテンプル部１２２Ａ，１２２Ｂと、を備えている。サブフレーム１３０は、左眼用画像表示部１１０Ａと、右眼用画像表示部１１０Ｂと、を支持する部材である。サブフレーム１３０は、メインフレーム１２０に対してリム部１２１の長手方向に移動できる構成となっている。
本実施形態のメインフレーム１２０は、特許請求の範囲の支持部材に対応する。
【００２７】
図３は、表示装置１００を構成する左眼用画像形成部１０Ａおよび左眼用画像表示部１１０Ａの構成を示す平面図である。さらに、図３には、表示装置１００を装着する使用者の左眼３１０Ａを示してある。
なお、図３に表されていない右眼用画像形成部１０Ｂおよび右眼用画像表示部１１０Ｂは、左眼用画像形成部１０Ａおよび左眼用画像表示部１１０Ａと同様の構成を有し、左眼用画像形成部１０Ａおよび左眼用画像表示部１１０Ａと左右対称に配置されている。
【００２８】
左眼用画像表示部１１０Ａは、左眼用反射部３０Ａと、左眼用導光部２０Ａと、左眼用半透過反射部２１Ａと、を備えている。右眼用画像表示部１１０Ｂ（図２参照）は、右眼用反射部（図示せず）と、右眼用導光部（図示せず）と、右眼用半透過反射部２１Ｂ（図２参照）と、を備えている。
【００２９】
左眼用画像形成部１０Ａは、左眼用画像生成部１１Ａと、左眼用投射光学系１２Ａと、を備えている。左眼用画像生成部１１Ａは、左眼用バックライト光源４１０Ａと、左眼用光変調素子４１１Ａと、を備えている。
【００３０】
本実施形態において、左眼用バックライト光源４１０Ａは、赤色、緑色および青色といった発光色毎の光源の集合体から構成されている。光源としては、例えば、発光ダイオード（LED：Light Emitting Diode）などを用いることができる。
左眼用光変調素子４１１Ａとしては、例えば、液晶表示デバイスなどを用いることができる。
左眼用投射光学系１２Ａは、例えば、入力される画像光を投射する複数の投射レンズを含むレンズ群から構成されている。
【００３１】
図２、図３を参照して、本実施形態に係るＨＭＤ３００の概略を説明する。
左眼用画像生成部１１Ａには、制御装置２００から左眼用画像信号が入力される。  左眼用画像生成部１１Ａにおいて、左眼用バックライト光源４１０Ａの各ＬＥＤ光源が赤色光、緑色光および青色光を射出する。左眼用バックライト光源４１０Ａの各ＬＥＤ光源から射出された赤色光、緑色光および青色光は、左眼用光変調素子４１１Ａに入射する。左眼用光変調素子４１１Ａは、制御装置２００から左眼用画像生成部１１Ａに入力された画像信号に応じて、赤色光、緑色光および青色光を空間変調し、当該画像信号に応じた画像光を射出する。左眼用投射光学系１２Ａは、左眼用画像生成部１１Ａの左眼用光変調素子４１１Ａから射出された画像光を平行光として射出し、左眼用反射部２１Ａ上に投射する。左眼用反射部２１Ａ上に投射された画像光は、左眼用反射部２１Ａで反射し、左眼用導光部２０Ａに向けて進む。
【００３２】
左眼用導光部２０Ａは、左眼用投射光学系１２Ａにより平行光とされた画像光を、左眼用半透過反射部２１Ａが有する三角プリズムの一つの半透過反射面に導く。左眼用半透過反射部２１Ａに形成されている半透過反射面のうち、装着時に使用者の左眼３１０Ａ側に対向する半透過反射面には、反射コーティングが施されている。左眼用半透過反射部２１Ａの半透過反射面に投射された画像光は、反射コーティングが施された半透過反射面により使用者の左眼３１０Ａに向けて反射される。これにより、左眼用半透過反射部２１Ａの所定の領域（画像取り出し領域）には、投射された画像光に応じた画像が生成される。
【００３３】
左眼用導光部２０Ａにより伝達される画像光は、左眼用半透過反射部２１Ａの半透過反射面により反射し、その反射光が使用者の左眼３１０Ａに入射し、左眼３１０Ａの網膜上に虚像を形成する。本実施形態では、左眼用反射部３０Ａ、左眼用導光部２０Ａ、および左眼用半透過反射部２１Ａを含む左眼用画像表示部１１０Ａは、図３における左右方向（矢印Ｈの方向）に移動可能に構成されている。そのため、左眼用導光部２０Ａと左眼用投射光学系１２Ａとの相対位置は変化するが、左眼用導光部２０Ａは、左眼用投射光学系１２Ａに対してどのような位置にあっても、当該左眼用投射光学系１２Ａからの画像光を、左眼用反射部３０Ａを介して左眼用導光部２０Ａに導くことができる。
【００３４】
左眼用半透過反射部２１Ａに外界から入射する光の少なくとも一部は、左眼用半透過反射部２１Ａの半透過反射面を透過し、使用者の左眼３１０Ａに導かれる。これにより、使用者は、左眼用画像形成部１０Ａにより形成された画像と外界の像とを互いに重畳した状態で見ることができる。
【００３５】
すなわち、使用者は、表示装置１００を頭部に装着することにより、表示装置１００の画像取り出し領域（左眼用半透過反射部２１Ａの画像取り出し領域、右眼用半透過反射部２１Ｂの画像取り出し領域）から出力される画像光に応じた画像を認識することができる。また、外界からの光の少なくとも一部が表示装置１００の画像取り出し領域（左眼用半透過反射部２１Ａの画像取り出し領域、右眼用半透過反射部２１Ｂの画像取り出し領域）を透過することにより、使用者は、表示装置１００を頭部に装着したまま外界を見ることができる。
このように、使用者は、表示装置１００の表示対象である画像と外界の像とを同時に見ることができる。また、使用者は、制御装置２００の操作ボタン部２５０を用いて操作命令を入力することができる。
【００３６】
図２に示すように、左眼用画像形成部１０Ａは、装着時に使用者の頭部の左側に位置するように、表示装置１００の左側のテンプル部１２２Ａに備えられている。左眼用画像形成部１０Ａは、使用者の左眼用画像を形成し、左眼用画像を左眼用半透過反射部２１Ａの画像取り出し領域に向けて出力する。同様に、右眼用画像形成部１０Ｂは、装着時に使用者の頭部の右側に位置するように、表示装置１００の右側のテンプル部１２２Ｂに備えられる。右眼用画像形成部１０Ｂは、使用者の右眼用画像を形成し、右眼用画像を右眼用半透過反射部２１Ｂの画像取り出し領域に向けて出力する。
【００３７】
ところで、ＨＭＤ３００を使用する場合には、左眼用画像表示部１１０Ａの位置と右眼用画像表示部１１０Ｂの位置とのそれぞれを調整して、使用者の視野の中心と各画像の位置とを合わせる必要がある。そこで、本実施形態の表示装置１００は、左眼用画像表示部１１０Ａと右眼用画像表示部１１０Ｂとの間隔を調整し、かつ、メインフレーム１２０に対する左眼用画像表示部１１０Ａの位置、およびメインフレーム１２０に対する右眼用画像表示部１１０Ｂの位置をそれぞれ独立して調整可能とする位置調整部１４０を備えている。
【００３８】
位置調整部１４０は、左眼用画像表示部１１０Ａと右眼用画像表示部１１０Ｂとの間の間隔を調整し、かつ、左眼用画像表示部１１０Ａと右眼用画像表示部１１０Ｂとを接続する接続部材１３１と、メインフレーム１２０と左眼用画像表示部１１０Ａとの間に配置された左側弾性部材１３２Ａと、メインフレーム１２０と右眼用画像表示部１１０Ｂとの間に配置された右側弾性部材１３２Ｂと、調整つまみ１３３と、を備えている。位置調整部１４０は、左眼用画像表示部１１０Ａと右眼用画像表示部１１０Ｂとをリム部１２１の延びる方向（左右方向）に位置調整するものとする。したがって、リム部１２１の延びる方向と垂直な方向（上下方向）については任意の方法で別途調整する。上下方向については、例えばメインフレーム１２０に設けられた鼻パッドで調整する。
【００３９】
以下、本実施形態の位置調整部１４０の構成について、図４を用いて説明する。
図４は、本実施形態の表示装置１００の正面図である。
上述したように、左眼用画像表示部１１０Ａと右眼用画像表示部１１０Ｂとは、サブフレーム１３０により支持されている。また、サブフレーム１３０は、メインフレーム１２０に対してリム部１２１の長手方向にスライドするように構成されている。
本実施形態の左側弾性部材１３２Ａは、特許請求の範囲の第１弾性部材に対応する。本実施形態の右側弾性部材１３２Ｂは、特許請求の範囲の第２弾性部材に対応する。本実施形態の調整つまみ１３３は、特許請求の範囲の調整部材に対応する。
【００４０】
接続部材１３１は、左眼用画像表示部１１０Ａと右眼用画像表示部１１０Ｂとを連結する部材である。本実施形態の場合、接続部材１３１は、左眼用画像表示部１１０Ａと右眼用画像表示部１１０Ｂとの間隔を変更できるように、弾性材料で構成されている。接続部材１３１は、Ｖ字状の屈曲部１３１Ｋと、互いに対向する一対の突出部１３１Ｔと、を備えている。接続部材１３１の弾性力は、屈曲部１３１Ｋの一方と他方とが互いに接近する方向に向かって作用する。
【００４１】
調整つまみ１３３は、メインフレーム１２０を貫通するとともに、接続部材１３１の一対の突出部１３１Ｔに当接するように設けられている。調整つまみ１３３は、接続部材１３１の変形量を調整する。例えば、使用者が調整つまみ１３３を一方向に回転させて下降させると、接続部材１３１が調整つまみ１３３により押し広げられ、左眼用画像表示部１１０Ａと右眼用画像表示部１１０Ｂとの間隔が広がる。使用者が調整つまみ１３３を先程と逆方向に回転させて上昇させると、押し広げられていた接続部材１３１が弾性力により元に戻り、左眼用画像表示部１１０Ａと右眼用画像表示部１１０Ｂとの間隔が狭まる。
【００４２】
左側弾性部材１３２Ａは、メインフレーム１２０と左眼用画像表示部１１０Ａとの間に介在する。左側弾性部材１３２Ａは、接続部材１３１が押し広げられた際に圧縮される方向に弾性変形し、左眼用画像表示部１１０Ａを接続部材１３１側に押し返す反発力をため込む。調整つまみ１３３の操作により押し広げられていた接続部材１３１が元に戻ると、左側弾性部材１３２Ａも元の状態に復元する。
【００４３】
同様に、右側弾性部材１３２Ｂは、メインフレーム１２０と右眼用画像表示部１１０Ｂとの間に介在する。右側弾性部材１３２Ｂは、接続部材１３１が押し広げられた際に圧縮される方向に弾性変形し、右眼用画像表示部１１０Ｂを接続部材１３１側に押し返す反発力をため込む。調整つまみ１３３の操作により押し広げられていた接続部材１３１が元に戻ると、右側弾性部材１３２Ｂも元の状態に復元する。左側弾性部材１３２Ａおよび右側弾性部材１３２Ｂには、例えば樹脂エラストマー、コイルスプリング、板バネ等の弾性部材を用いることができる。
【００４４】
さらに、左側弾性部材１３２Ａの弾性力と右側弾性部材１３２Ｂの弾性力との少なくとも一方は、弾性力調整部１３２Ｅにより調整可能となっている。これにより、左側弾性部材１３２Ａの弾性力と右側弾性部材１３２Ｂの弾性力とが異なるように調整できる。弾性力調整部１３２Ｅの具体的な手段としては、例えば左側と右側とで大きさが異なるスペーサー等を弾性部材中に挿入する構成、もしくは、ネジ等を用いて左側弾性部材１３２Ａおよび右側弾性部材１３２Ｂの機械的な締め付け具合を調整することにより弾性変形量を変える構成がある。もしくは、空気の圧力で弾性を発現する風船のような弾性部材を用いる構成がある。この場合、空気の圧力を変えることで弾性力を調整できる。
【００４５】
左眼用画像表示部１１０Ａには、左眼用画像表示部１１０Ａの位置調整の際に用いるシール１１５が貼付されている。シール１１５の中央には、左眼用画像の表示位置を示す指標となる「＋」マークが設けられている。すなわち、「＋」マークの位置は、左眼用画像の表示位置に一致している。同様に、右眼用画像表示部１１０Ｂには、右眼用画像表示部１１０Ｂの位置調整の際に用いるシール１１５が貼付されている。シール１１５の中央には、右眼用画像の表示位置を示す指標となる「＋」マークが設けられている。すなわち、「＋」マークの位置は、右眼用画像の表示位置に一致している。シール１１５は、透明もしくは半透明の素材で構成され、「＋」マークの部分が不透明になっている。これにより、使用者は、シール１１５が貼付された状態であっても、鏡等を通して自身の瞳を見ることができる。なお、不透明な「＋」マークとは逆に、周辺部が半透明もしくは不透明で、中心部が透明の光透過部によってマークが構成されていてもよい。マークの形は、特に「＋」に限定されない。
本実施形態の「シール１１５」は、特許請求の範囲の「第１指標部」および「第２指標部」に対応する。本実施形態の「＋」マークは、特許請求の範囲の「第１指標」および「第２指標」に対応する。
【００４６】
以下、各画像表示部１１０Ａ，１１０Ｂの位置調整の方法について、図５のフローチャートを用いて説明する。
使用者は、ＨＭＤ３００を初めて使用する場合、もしくは使用者や使用環境が変わった場合などに、各画像表示部１１０Ａ，１１０Ｂの位置調整を行う必要がある。このとき、実際の画像を用いて位置調整を行ってもよいが、画像が使用者の視野内に入っていない状態から位置調整を始める場合、もしくは微調整を行いたい場合等には、実際の画像を用いて位置調整を行うことは難しい。そこで、実際の画像に代えて、各画像表示部１１０Ａ，１１０Ｂに貼付したシール１１５の「＋」マークを用いて位置調整を行う。すなわち、使用者は、鏡、カメラ等の観察装置を見ながら瞳の中心と「＋」マークとを位置合わせする。
【００４７】
最初に、使用者は、ＨＭＤ３００を装着する（ステップＳ１）。
次いで、使用者は、自身の視野内に「＋」マークが入っているか否かを判断する（ステップＳ２）。
視野内に「＋」マークが入っていない場合（ステップＳ２のＮＯ）、サブフレーム１３０の中央にある調整つまみ１３３を用いて左眼用画像表示部１１０Ａと右眼用画像表示部１１０Ｂとの間の間隔の調整を行う（ステップＳ３）。
【００４８】
視野内に「＋」マークが入っている場合（ステップＳ２のＹＥＳ）、使用者は、視野内の「＋」マークの位置が最適であるか否か、すなわち「＋」マークの位置が瞳の中心に一致しているか否かを確認する（ステップＳ４）。
「＋」マークの位置が瞳の中心に一致していない場合（ステップＳ４のＮＯ）、左眼用画像表示部１１０Ａ、右眼用画像表示部１１０Ｂの各々の位置を個別に微調整する（ステップＳ５）。具体的には、機械的な締め付け具合や空気圧を調整することにより左側弾性部材１３２Ａの弾性力、および右側弾性部材１３２Ｂの弾性力を微調整する。
【００４９】
「＋」マークの位置が瞳の中心に一致している場合（ステップＳ４のＹＥＳ）、各画像表示部１１０Ａ，１１０Ｂの位置調整作業は終了し、実際の画像を表示して使用を開始する（ステップＳ６）。その後、例えば使用者が変わった場合等には、ステップＳ１からの手順を繰り返す。
【００５０】
本実施形態のＨＭＤ３００においては、位置調整部１４０によって、左眼用画像表示部１１０Ａと右眼用画像表示部１１０Ｂとの間隔を調整できるとともに、メインフレーム１２０に対する左眼用画像表示部１１０Ａの位置、およびメインフレーム１２０に対する右眼用画像表示部１１０Ｂの位置のそれぞれを独立して調整できる。これにより、使用者が、各画像表示部１１０Ａ，１１０Ｂの位置調整作業を容易に行うことができる。特に本実施形態のＨＭＤ３００はシースルー型（透過型）の画像表示装置であるため、使用者は、自身を撮影可能なカメラ等の外部機器や鏡等を用いて、「＋」マークを瞳の中心に合わせるようにすれば、各画像表示部１１０Ａ，１１０Ｂの位置調整作業を行うことができる。
【００５１】
［変形例］
各画像表示部個別の位置調整を可能にする手段として、左側弾性部材１３２Ａの弾性力、右側弾性部材１３２Ｂの弾性力を調整可能とする構成に代えて、弾性率が互いに異なる左側弾性部材と右側弾性部材とを用いてもよい。この場合、左眼用画像表示部１１０Ａと右眼用画像表示部１１０Ｂとに等しい外力が加わったとしても、左眼用画像表示部１１０Ａの移動量と右眼用画像表示部１１０Ｂの移動量とが異なる。そのため、中央の調整つまみ１３３を操作すると、左眼用画像表示部１１０Ａと右眼用画像表示部１１０Ｂとの間隔が変わるのと同時に、個々の画像表示部１１０Ａ，１１０Ｂの位置が変わる。この場合、画像表示部間の間隔調整と個々の画像表示部の位置調整とが同時に行われ、個々に独立して行うことはできない。しかし、この構成においても、使用者は、双方の調整作業を簡便に行うことができる。
【００５２】
［第２実施形態］
以下、本発明の第２実施形態について、図６を用いて説明する。
本実施形態のＨＭＤの基本構成は第１実施形態と同様であり、位置調整部の構成が第１実施形態と異なる。
図６は、本実施形態の表示装置の正面図である。
図６において、第１実施形態で用いた図４と共通の構成要素には同一の符号を付し、詳細な説明は省略する。
【００５３】
図６に示すように、本実施形態の表示装置５００において、位置調整部５０１は、接続部材５０２と、調整つまみ５０３と、線状部材５０４と、を備えている。これら調整つまみ５０３と線状部材５０４とは、左眼用画像表示部１１０Ａと右眼用画像表示部１１０Ｂとの間隔調整を行うためのものである。調整つまみ５０３は、左眼用画像表示部１１０Ａと右眼用画像表示部１１０Ｂの表示面と平行な面内で回転可能とされている。線状部材５０４は、調整つまみ５０３の周囲に巻き付けられている。また、接続部材５０２の弾性力は、屈曲部５０２Ｋの一方と他方とが互いに遠ざかる方向に向かって作用する。その他の構成は、第１実施形態と同様である。
【００５４】
調整つまみ５０３を一方向、例えば時計回りに回転させると、線状部材５０４が調整つまみ５０３に巻き取られ、線状部材５０４により接続部材５０２が内側に引っ張られる。その結果、左眼用画像表示部１１０Ａと右眼用画像表示部１１０Ｂとの間隔が狭まる。また、調整つまみ５０３を逆方向、例えば反時計回りに回転させると、線状部材５０４が調整つまみ５０３から引き出され、接続部材５０２が弾性力により復元する。その結果、左眼用画像表示部１１０Ａと右眼用画像表示部１１０Ｂとの間隔が広がる。
【００５５】
本実施形態の表示装置５００においても、使用者が画像表示部の位置調整作業を容易に行うことができる、といった第１実施形態と同様の効果が得られる。
【００５６】
［第３実施形態］
以下、本発明の第３実施形態について、図７を用いて説明する。
本実施形態のＨＭＤの基本構成は第１実施形態と同様であり、位置調整部の構成が第１実施形態と異なる。
図７は、本実施形態の表示装置の正面図である。
図７において、第１実施形態で用いた図４と共通の構成要素には同一の符号を付し、詳細な説明は省略する。
【００５７】
図７に示すように、本実施形態の表示装置５２０において、位置調整部５２１は、接続部材５２２と、弾性部材５２３と、スペーサー５２４と、を備えている。これら弾性部材５２３とスペーサー５２４とは、左眼用画像表示部１１０Ａと右眼用画像表示部１１０Ｂとの間隔調整を行うとともに、左眼用画像表示部１１０Ａと右眼用画像表示部１１０Ｂとの個別の位置調整を行うためのものである。弾性部材５２３は、例えば樹脂エラストマーで構成されている。弾性部材５２３の中心に対して左側と右側のそれぞれに、スペーサー５２４が挿入可能な孔５２３Ｈが設けられている。弾性部材５２３の中心位置は、メインフレーム１２０に固定されている。弾性部材５２３の弾性力は、接続部材５２２の一方と他方とが互いに接近する方向に向かって作用する。本実施形態の場合、左側弾性部材および右側弾性部材は設けられていない。その他の構成は、第１実施形態と同様である。
【００５８】
使用者が弾性部材５２３の左側の孔５２３Ｈにスペーサー５２４を挿入すると、弾性部材５２３がスペーサー５２４により押し広げられ、左眼用画像表示部１１０Ａと右眼用画像表示部１１０Ｂとの間隔が広がる。これと同時に、弾性部材５２３の中心がメインフレーム１２０に固定されているため、弾性部材５２３の左側の部分が左眼用画像表示部１１０Ａを押す力が右眼用画像表示部１１０Ｂを押す力よりも強くなり、メインフレーム１２０に対して左眼用画像表示部１１０Ａが大きく移動する。
【００５９】
逆に、使用者が弾性部材５２３の右側５２３Ｈの孔にスペーサー５２４を挿入すると、左眼用画像表示部１１０Ａと右眼用画像表示部１１０Ｂとの間隔が広がるのと同時に、メインフレーム１２０に対して右眼用画像表示部１１０Ｂが大きく移動する。いずれの場合にも、挿入していたスペーサー５２４を取り除けば、弾性部材５２３の弾性力により、左眼用画像表示部１１０Ａと右眼用画像表示部１１０Ｂとは元の位置に戻る。挿入するスペーサー５２４の大きさを変えることにより、左眼用画像表示部１１０Ａもしくは右眼用画像表示部１１０Ｂの移動量を調整することができる。
【００６０】
本実施形態の表示装置５２０においても、使用者が画像表示部の位置調整作業を容易に行うことができる、といった第１、第２実施形態と同様の効果が得られる。
【００６１】
［第４実施形態］
以下、本発明の第４実施形態について、図８を用いて説明する。
本実施形態のＨＭＤの基本構成は第１実施形態と同様であり、位置調整部の構成が第１実施形態と異なる。
図８は、本実施形態の表示装置の正面図である。
図８において、第１実施形態で用いた図４と共通の構成要素には同一の符号を付し、詳細な説明は省略する。
【００６２】
図８に示すように、本実施形態の表示装置５４０において、位置調整部５４１は、超高弾性材料からなる接続部材５４２を備えている。接続部材５４２は、左眼用画像表示部１１０Ａと右眼用画像表示部１１０Ｂとの間隔調整を行うとともに、左眼用画像表示部１１０Ａと右眼用画像表示部１１０Ｂとの個別の位置調整を行うためのものである。接続部材５４２の中心位置は、メインフレーム１２０に固定されている。本実施形態の場合、左側弾性部材および右側弾性部材は設けられていない。その他の構成は、第１実施形態と同様である。
【００６３】
使用者は、任意の調整用治具や手を用いて接続部材５４２を自由に変形させ、左眼用画像表示部１１０Ａと右眼用画像表示部１１０Ｂとの間隔を調整するとともに、左眼用画像表示部１１０Ａと右眼用画像表示部１１０Ｂとの個別の位置を調整することができる。調整用治具は、例えば接続部材５４２の変形量を段階的に変えられるもの、もしくは接続部材５４２の変形量を連続的に変えられるものが好ましく、調整作業が終了したら取り外せばよい。
【００６４】
本実施形態の表示装置５４０においても、使用者が画像表示部の位置調整作業を容易に行うことができる、といった第１〜第３実施形態と同様の効果が得られる。
【００６５】
［第５実施形態］
以下、本発明の第５実施形態について、図９を用いて説明する。
本実施形態のＨＭＤの基本構成は第１実施形態と同様であり、指標部の構成が第１実施形態と異なる。
図９は、本実施形態の表示装置の正面図である。
図９において、第１実施形態で用いた図４と共通の構成要素には同一の符号を付し、詳細な説明は省略する。
【００６６】
第１実施形態では、指標部として、「＋」マークを備えたシールを画像表示部に貼り付ける構成とした。この構成に代えて、図９に示すように、本実施形態の表示装置５６０は、画像の表示位置を示す指標となる「＋」マークを備えた着脱式マーカー５６１を備えている。着脱式マーカー５６１は、「＋」マークを備えたマーカー本体５６１Ｃと、係合用凸部５６１Ｄと、を備えている。係合用凸部５６１Ｄは、マーカー本体５６１Ｃの上辺の２箇所に設けられている。左眼用画像表示部１１０Ａと右眼用画像表示部１１０Ｂの各々には、係合用凸部５６１Ｄと対応する位置に係合用凹部１１０Ｍが設けられている。係合用凹部１１０Ｍに係合用凸部５６１Ｄを嵌め込むことにより、左眼用画像表示部１１０Ａと右眼用画像表示部１１０Ｂの各々の所定の位置に重なるように着脱式マーカー５６１を取り付けることができる。その他の構成は、第１実施形態と同様である。
本実施形態の着脱式マーカー５６１は、特許請求の範囲の第１指標部および第２指標部に対応する。本実施形態の係合用凸部５６１Ｄは、特許請求の範囲の第１着脱部に対応する。
【００６７】
本実施形態の表示装置５６０においても、使用者が画像表示部の位置調整作業を容易に行うことができる、といった第１〜第４実施形態と同様の効果が得られる。
特に本実施形態の場合、着脱式マーカー５６１を各画像表示部１１０Ａ，１１０Ｂに取り付ける際に、係合用凹部１１０Ｍに係合用凸部５６１Ｄを嵌め込むことにより、各画像表示部１１０Ａ，１１０Ｂの画像表示位置に合わせて着脱式マーカー５６１を正確に取り付けることができる。そのため、画像表示部１１０Ａ，１１０Ｂの位置調整作業を複数回繰り返す場合であっても、位置調整を精度良く行うことができる。
【００６８】
［第６実施形態］
以下、本発明の第６実施形態について、図１０を用いて説明する。
本実施形態のＨＭＤの基本構成は第１実施形態と同様であり、指標部の構成が第１実施形態とは異なる。
図１０は、本実施形態の表示装置の正面図である。
図１０において、第１実施形態で用いた図４と共通の構成要素には同一の符号を付し、詳細な説明は省略する。
【００６９】
図１０に示すように、本実施形態の表示装置５８０は、画像の表示位置を示す指標となる固定式マーカー５８１を備えている。固定式マーカー５８１は、サブフレーム１３０上の画像中心に対応する位置に縦線として印刷されたものである。このように、固定式マーカー５８１は、鏡や外部機器等で見える位置にある必要があるが、あまり目立たないように設けられることが好ましい。使用者の眼が固定式マーカー５８１に焦点を結ばないような光学系であれば、使用者が違和感を持つことはない。そのためには、例えば、固定式マーカー５８１の印刷を淡いコントラストにする、外部機器で観察する場合に特定波長のみに反応する固定式マーカー５８１を用いる、等の手段を採ることが有効である。
【００７０】
図１０では、メインフレーム１２０にも固定式マーカー５８２が設けられているが、メインフレーム１２０側の固定式マーカー５８２は画像の大まかな位置を示すものであり、必ずしも必要ではない。ここでは、各画像表示部１１０Ａ，１１０Ｂの移動方向（横方向）の固定式マーカーの例を示すが、各画像表示部１１０Ａ，１１０Ｂの移動方向に垂直な方向（縦方向）の固定式マーカーが設けられていてもよい。その他の構成は、第１実施形態と同様である。
【００７１】
本実施形態の表示装置５８０においても、使用者が画像表示部の位置調整作業を容易に行うことができる、といった第１〜第５実施形態と同様の効果が得られる。
【００７２】
［第７実施形態］
以下、本発明の第７実施形態について、図１１、図１２を用いて説明する。
本実施形態のＨＭＤの基本構成は第１実施形態と同様であり、位置調整の方法が第１実施形態とは異なる。
図１１は、本実施形態の表示装置の平面図である。
図１２は、画像表示部の位置調整作業の手順を示すフローチャートである。
【００７３】
図１１に示すように、本実施形態の表示装置６１０においては、位置調整部６１１を用いて各画像表示部１１０Ａ，１１０Ｂの位置を調整する際に用いる指標部として、上記実施形態で例示した指標、例えば「＋」マークからなる指標を有する調整用型紙６１２を用いる。また、表示装置６１０は、使用者の前方を撮影するカメラ６１４を備えている。各画像表示部１１０Ａ，１１０Ｂの位置調整を行う場合、カメラ６１４は、鏡に映った調整用型紙６１２の指標と瞳の中心位置とを捉え、その撮像結果を制御装置２００に送信する。
【００７４】
以下、各画像表示部１１０Ａ，１１０Ｂの位置調整の方法について、図１２のフローチャートを用いて説明する。なお、位置調整部６１１の構成は、第１実施形態の位置調整部と同様とする。
最初に、使用者は、ＨＭＤを装着する（ステップＳ１）。
次に、制御装置２００からの音声等による指示により、使用者は、調整用型紙６１２を指定の位置にセットする（ステップＳ２）。
次に、制御装置２００からの音声等による指示により、使用者は、調整用型紙６１２の指標が見えるように、各画像表示部１１０Ａ，１１０Ｂ間の間隔を調整する（ステップＳ３）。
次に、使用者は、視野内に指標が入っているか否かを判断する（ステップＳ４）。
視野内に指標が入っていない場合（ステップＳ４のＮＯ）、各画像表示部１１０Ａ，１１０Ｂ間の間隔を再度調整する（ステップＳ３）。
【００７５】
視野内に指標が入っている場合（ステップＳ４のＹＥＳ）、各画像表示部１１０Ａ，１１０Ｂは調整用画像を表示する。調整用画像は、調整用型紙６１２の指標と同様、任意の形状を有するマークであればよい。制御装置２００からの音声と映像による指示により、使用者は、視野内の調整用画像の位置が最適となるように、すなわち、調整用画像の位置を瞳の中心に一致させるように、各画像表示部１１０Ａ，１１０Ｂの位置を微調整する（ステップＳ５）。
【００７６】
次に、使用者は、視野内の調整用画像の位置が最適であるか否かを判断する（ステップＳ６）。
視野内の調整用画像の位置が最適である場合（ステップＳ６のＹＥＳ）、各画像表示部１１０Ａ，１１０Ｂの位置調整作業は終了する。
視野内の調整用画像の位置が最適でない場合（ステップＳ６のＮＯ）、各画像表示部１１０Ａ，１１０Ｂの位置を再度微調整する（ステップＳ５）。
【００７７】
本実施形態の表示装置６１０においても、使用者が画像表示部の位置調整作業を容易に行うことができる、といった第１〜第６実施形態と同様の効果が得られる。
特に本実施形態の場合、制御装置２００からの音声等による指示があるため、使用者は、画像表示部の位置調整作業を要領良く行うことができる。
【００７８】
［第８実施形態］
以下、本発明の第８実施形態について、図１３を用いて説明する。
本実施形態のＨＭＤの基本構成は第１実施形態と同様であり、位置調整の方法が第１実施形態とは異なる。
図１３は、本実施形態の表示装置の平面図である。
【００７９】
図１３に示すように、本実施形態の表示装置６３０は、第７実施形態の表示装置６１０と同様、使用者の前方を撮影するカメラ６３４を備えている。表示装置６３０は、画像の中心位置の指標を含むシール、マーカー等の指標部（図示略）を備えていてもよい。もしくは、表示装置６３０は、制御装置２００からの命令により実際の画像からなる指標を表示してもよい。
【００８０】
制御装置２００は、カメラ６３４の撮像結果に基づいて、指標の位置と瞳の中心位置とのずれ方向およびずれ量に関する情報を検出する検出部２０５と、検出部２０５が検出した情報を出力する表示部２１０（出力部）と、記憶部２１５と、を備えている。記憶部２１５には、各画像表示部１１０Ａ，１１０Ｂの位置調整に関する指示を使用者に与えるための調整用プログラムが格納されている。
【００８１】
各画像表示部１１０Ａ，１１０Ｂの位置調整を行う際には、カメラ６３４は、鏡６３５に映った使用者の様子を撮影し、撮影した画像を制御装置２００に送信する。このとき、制御装置２００内の調整用プログラムが起動し、音声や映像等により使用者に位置調整部６３１の操作方向などの指示を与え、各画像表示部１１０Ａ，１１０Ｂが適切な位置になるまで指示を続ける。具体的には、例えば制御装置２００が表示装置６３０に向けて位置調整用信号を出力する。制御装置２００の検出部２０５は、使用者の瞳の中心と指標とのずれ方向およびずれ量を鏡６３５に映った映像から算出し、表示部２１０による表示や音声等を通じて、使用者に調整つまみの回転方向、回転量などに関する指示を与える。
【００８２】
本実施形態の表示装置６３０においても、使用者が画像表示部の位置調整作業を容易に行うことができる、といった第１〜第７実施形態と同様の効果が得られる。
特に本実施形態の場合、使用者に例えば調整つまみの回転方向、回転量などの指示が制御装置２００を通じて与えられるため、位置調整作業がより簡単になる。
【００８３】
［第９実施形態］
以下、本発明の第９実施形態について、図１４を用いて説明する。
本実施形態のＨＭＤの基本構成は第１実施形態と同様であり、位置調整の方法が第１実施形態とは異なる。
図１４は、本実施形態の表示装置の平面図である。
【００８４】
図１４に示すように、本実施形態の表示装置１００の構成は、第１実施形態の表示装置の構成と同様である。表示装置１００は、画像の中心位置の指標を含むシール、マーカー等の指標部（図示略）を備えていてもよいし、実際の画像によって指標を表示してもよい。一方、外部機器６５０には、各画像表示部１１０Ａ，１１０Ｂの位置調整に関する指示を使用者に与えるための調整用プログラムが格納されている。外部機器６５０としては、例えばカメラ６５４を備え、画像表示部の位置調整用の専用アプリケーションをダウンロードしたスマートフォン等が用いられる。
【００８５】
各画像表示部１１０Ａ，１１０Ｂの位置調整を行う際には、外部機器６５０のカメラ６５４が、使用者の瞳の中心と画像の位置とのずれを検出し、表示や音声により、使用者に例えば調整つまみの回転方向、回転量などの指示を与える。
【００８６】
本実施形態の表示装置においても、使用者が画像表示部の位置調整作業を容易に行うことができる、といった第１〜第８実施形態と同様の効果が得られる。
【００８７】
なお、本発明の技術範囲は上記実施形態に限定されるものではなく、本発明の趣旨を逸脱しない範囲において種々の変更を加えることが可能である。
例えば上記実施形態では、位置調整部は、画像表示部をリム部の延びる方向（左右方向）に位置調整するものとし、リム部の延びる方向と垂直な方向（上下方向）については任意の方法で別途調整するものとした。この構成に代えて、位置調整部は、画像表示部を左右方向と上下方向の双方に位置調整するものとしてもよい。
【００８８】
本発明は、シースルー型（透過型）のＨＭＤに限ることなく、没入型のＨＭＤに適用してもよい。その場合、使用者が鏡を用いて位置調整作業を行うことはできないため、実際の画像を指標として位置調整作業を行えばよい。
その他、画像表示装置の各部の具体的な構成については、上記実施形態に限ることなく、適宜変更が可能である。
【符号の説明】
【００８９】
１０Ａ…左眼用画像形成部（第１画像形成部）、１０Ｂ…右眼用画像形成部（第２画像形成部）、２１Ａ…左眼用半透過反射部（第１半透過反射部）、２１Ｂ…右眼用半透過反射部（第２半透過反射部）、１００，５００，５２０，５４０，５６０，６１０，６３０…表示装置、１１０Ａ…左眼用画像表示部（第１画像表示部）、１１０Ｂ…右眼用画像表示部（第２画像表示部）、１１５…シール（第１指標部、第２指標部）、１２０…メインフレーム（支持部材）、１３１，５０２，５２２，５４２…接続部材、１３２Ａ…左側弾性部材（第１弾性部材）、１３２Ｂ…右側弾性部材（第２弾性部材）、１３２Ｅ…弾性力調整部、１４０，５０１，５２１，５４１，６１１…位置調整部、２００…制御装置、２０５…検出部、２１０…表示部（出力部）、３００…ＨＭＤ（画像表示装置）、５６１…着脱式マーカー（第１指標部、第２指標部）、５８１…固定式マーカー（第１指標部、第２指標部）、６１４，６３４，６５４…カメラ（撮像部）。
【図１】
2015213271.tif 000003
【図２】
2015213271.tif 000004
【図３】
2015213271.tif 000005
【図４】
2015213271.tif 000006
【図５】
2015213271.tif 000007
【図６】
2015213271.tif 000008
【図７】
2015213271.tif 000009
【図８】
2015213271.tif 000010
【図９】
2015213271.tif 000011
【図１０】
2015213271.tif 000012
【図１１】
2015213271.tif 000013
【図１２】
2015213271.tif 000014
【図１３】
2015213271.tif 000015
【図１４】
2015213271.tif 000016